(57)【要約】【課題】  光学箱の熱膨張による光学箱の変形を回避し、走査線の曲りや傾きの小さな、色ずれの少ない良好な画像を得ることができる走査光学装置および画像形成装置を提供すること。【解決手段】  光学箱の略中央部において、蓋と光学箱、または光学箱と筐体、または蓋と光学箱と筐体を締結する。【選択図】  図１
2005156781.tif 000002
【特許請求の範囲】
【請求項１】
１つ以上の発光点を有する光源部と、前記光源部からの光束を偏向走査する回転多面鏡を有する偏向走査手段と、前記偏向走査手段により偏向走査された光束を像担持体に集光させる光学部材郡と、を有する走査光学手段を内包する光学箱と蓋を備えた走査光学装置および前記走査光学装置から出射された光束にて前記像担持体に画像を形成する画像形成装置において、
前記光源部から照射された光束を前記回転多面鏡に入射・偏向走査させて、前記光束を前記光学部材群を経て像担持体に導光する走査光学手段を２対以上設け、前記２対以上の走査光学手段を1つの光学箱に内包し、複数の走査光学手段に挟まれた領域において前記光学箱と前記光学箱の蓋、または前記光学箱と前記画像形成装置の筐体の一部、または前記光学箱と前記光学箱の前記蓋と前記画像形成装置の前記筐体の一部を固定することを特徴とする走査光学装置および画像形成装置。
【請求項２】
１つ以上の発光点を有する２対の光源部から照射された光束を前記回転多面鏡の異なる面に入射・偏向走査させて、前記光束を前記回転多面鏡に対して略対称に配置させた２系統の光学部材群を経て像担持体に導光する走査光学手段と、これらを内包する光学箱を有する走査光学装置において、
前記２系統の光学部材群に挟まれた領域において前記光学箱と前記光学箱の蓋、または前記光学箱と画像形成装置の筐体の一部、または前記光学箱と前記光学箱の前記蓋と前記画像形成装置の前記筐体の一部を固定することを特徴とする走査光学装置および画像形成装置。
【請求項３】
請求項１に記載の走査光学手段は、１つ以上の発光点を有する２対の光源部から照射された光束を前記回転多面鏡の異なる面に入射・偏向走査させて、前記光束を前記回転多面鏡に対して略対称に配置させた２系統の前記光学部材群を経て像担持体に導光することを特徴とする請求項1記載の走査光学装置および画像形成装置。
【請求項４】
光学箱と蓋または光学箱と画像形成装置の筐体の一部を固定する位置は、前記回転多面鏡の回転軸に垂直な平面内の光学箱略中央部であることを特徴とする請求項１、３記載の走査光学装置および画像形成装置。
【請求項５】
前記光学箱は射出成形で成型されており、前記光学箱に前記蓋を固定する位置の前記回転多面鏡回転軸方向にゲートを設けたことを特徴とする請求項1〜４記載の走査光学装置および画像形成装置。
【請求項６】
弾性部材を用いて、前記光学箱の外周部を前記筐体の一部に拘束したことを特徴とする請求項１〜５記載の走査光学装置および画像形成装置。
【請求項７】
前記筐体と前記光学箱の固定部において、前記光学箱の固定部周囲が一部不連続になっていることを特徴とする請求項１〜６記載の走査光学装置および画像形成装置。
【請求項８】
前記筐体と前記光学箱の固定部において、前記筐体の固定部周囲が一部不連続になっていることを特徴とする請求項１〜６記載の走査光学装置および画像形成装置。
【請求項９】
前記蓋を固定手段によって前記筐体に接地することを特徴とする請求項１〜８記載の走査光学装置および画像形成装置。
【請求項１０】
請求項1〜９記載の走査光学装置から出射された光束を各々対応する像担持体面上に導光して該像担持体を走査し、該像担持体面に異なった色光の画像を形成してカラー画像を形成することを特徴とするカラー画像形成装置。
【発明の詳細な説明】
【技術分野】
【０００１】
本発明は、複数の走査光学装置を用いるカラーレーザビームプリンタやカラーデジタル複写機等のカラー画像形成装置に関するものである。
【背景技術】
【０００２】
レーザビームプリンタやデジタル複写機等に用いられる走査光学装置においては画像信号に応じて光源手段から光変調されて出射した光束を、例えば回転多面鏡等の光偏向器によって周期的に偏向走査させ、ｆθ特性を有する結像光学系によって感光ドラム上の結像面にスポット状に集束させる。結像面上のスポットは、光偏向器による主走査と、感光ドラムの回転による副走査に伴って静電潜像を形成し、画像記録を行っている。
【０００３】
カラー画像を形成するカラー画像形成装置に関しては、例えば、特開昭63-80671号や実用新案登録第2536711号に記載されているものがある。特開昭63-80671号記載の光学配置を図１３に、実用新案登録第2536711号記載の走査光学装置を図１２に示している。
【特許文献１】特開昭63-80671号
【特許文献２】実用新案登録第2536711号
【発明の開示】
【発明が解決しようとする課題】
【０００４】
しかしながら実用新案登録第2536711号記載の走査光学装置は、以下のような欠点があった。実用新案登録第2536711号に記載されているようにポリゴンミラーを回転させるモータの発熱によって光学箱が膨張し、光学箱取り付けステーと光学箱との熱膨張差によって光学箱が変形し、光学特性の劣化や走査線の位置ずれが起こる。これを回避するために実用新案登録第2536711号には光学箱の材料にアルミニウム合金、線膨張係数が3×10-5（1/℃）である樹脂を用いると記載されている。しかしながらアルミニウム合金はコストアップを招き、線膨張係数が3×10-5（1/℃）である樹脂は光学箱の変形を抑えるためには装置内部を十分に冷却しなければならず、小型化や冷却ファンを廃止して低騒音化するための障害となっていた。
【０００５】
上記と同様の現象が、光学箱と光学箱を閉塞する蓋との熱膨張差によっても発生する。
【０００６】
また実用新案登録第2536711号記載の画像形成装置の構成は光学部品を多数必要としていたので、光学箱のわずかな変形でも光学特性の劣化や走査線の位置ずれが起こる。またコストアップも招いていた。特開昭63-80671号の光学配置では、光学部品を減らすことができるため、光学箱の変形による光学特性の影響は実用新案登録第2536711号記載の画像形成装置よりも少ない。また光学部品のコストを削減することができる。
【０００７】
本発明は、特開昭63-80671号に記載の光学配置を用いて、実用新案登録第2536711号記載の画像形成装置における光学箱の熱膨張による光学箱の変形を回避し、走査線の曲がりや傾きの小さな色ずれのない良好な画像を得ることができる走査光学装置および画像形成装置を提供することを目的とするものである。
【課題を解決するための手段】
【０００８】
上記目的を達成するため、本発明は、
１つ以上の発光点を有する光源部と、前記光源部からの光束を偏向走査する回転多面鏡を有する偏向走査手段と、前記偏向走査手段により偏向走査された光束を像担持体に集光させる光学部材郡と、
を有する走査光学手段を内包する光学箱と蓋を備えた走査光学装置および前記走査光学装置から出射された光束にて前記像担持体に画像を形成する画像形成装置において、
前記光源部から照射された光束を前記回転多面鏡に入射・偏向走査させて、前記光束を前記光学部材群を経て像担持体に導光する走査光学手段を２対以上設け、
前記２対以上の走査光学手段を1つの光学箱に内包し、複数の走査光学手段に挟まれた領域において前記光学箱と前記光学箱の蓋、または前記光学箱と前記画像形成装置の筐体の一部、または前記光学箱と前記光学箱の前記蓋と前記画像形成装置の前記筐体の一部を固定することを特徴とする。
【０００９】
また、１つ以上の発光点を有する２対の光源部から照射された光束を前記回転多面鏡の異なる面に入射・偏向走査させて、前記光束を前記回転多面鏡に対して略対称に配置させた２系統の光学部材群を経て像担持体に導光する走査光学手段と、これらを内包する光学箱を有する走査光学装置において、
前記２系統の光学部材群に挟まれた領域において前記光学箱と前記光学箱の蓋、または前記光学箱と画像形成装置の筐体の一部、または前記光学箱と前記光学箱の前記蓋と前記画像形成装置の前記筐体の一部を固定することを特徴とする。
【００１０】
また、走査光学手段は、１つ以上の発光点を有する２対の光源部から照射された光束を前記回転多面鏡の異なる面に入射・偏向走査させて、前記光束を前記回転多面鏡に対して略対称に配置させた２系統の前記光学部材群を経て像担持体に導光することを特徴とする。
【００１１】
また、光学箱と蓋または光学箱と画像形成装置の筐体の一部を固定する位置は、前記回転多面鏡の回転軸に垂直な平面内の光学箱略中央部であることを特徴とする。
【００１２】
また、前記光学箱は射出成形で成型されており、前記光学箱に前記蓋を固定する位置の前記回転多面鏡回転軸方向にゲートを設けたことを特徴とする。
【００１３】
また、弾性部材を用いて、前記光学箱の外周部を前記筐体の一部に拘束したことを特徴とする。
【００１４】
また、前記筐体と前記光学箱の固定部において、前記光学箱の固定部周囲が一部不連続になっていることを特徴とする。
【００１５】
また、前記筐体と前記光学箱の固定部において、前記筐体の固定部周囲が一部不連続になっていることを特徴とする。
【００１６】
また、前記蓋を固定手段によって前記筐体に接地することを特徴とする。
【００１７】
また、前記走査光学装置から出射された光束を各々対応する像担持体面上に導光して該像担持体を走査し、該像担持体面に異なった色光の画像を形成してカラー画像を形成することを特徴とする。
【発明の効果】
【００１８】
以上説明したように、本発明によれば、複数の走査光学手段を内包した光学箱の略中央部において光学箱と光学蓋を固定することによって、互いの熱膨張の差により生じる光学箱の反りやねじれ等の変形を抑制し、走査線の曲がりや傾きの小さな色ずれの少ない良好な画像を形成することができる。
【００１９】
また本発明によれば、複数の走査光学手段を内包した光学箱の略中央部において光学箱と画像形成装置の筐体の一部を固定することによって、互いの熱膨張の差により生じる光学箱の反りやねじれ等の変形を抑制し、走査線の曲がりや傾きの小さな色ずれの少ない良好な画像を形成することができる。
【発明を実施するための最良の形態】
【００２０】
（第１の実施例）
図１は本発明の実施例によるカラー画像形成装置５０を示す図である。本実施例は特開昭63-80671号に記載の光学配置を収納した走査光学装置である。同図において５１は各々後述する構成よりなる走査光学装置、５２は光学箱、５３は光学蓋、１Ｃ、１Ｍ、１Ｙ、１ＢＫは各々像担持体としての感光ドラムである。本実施形態においては、画像情報に基づいて各々光変調された各光束（レーザビーム）ＬＣ、ＬＭ、ＬＹ、ＬＢＫが走査光学装置５１から出射し、各々対応する感光ドラム１Ｃ、１Ｍ、１Ｙ、１ＢＫ面上を照射して潜像を形成する。この潜像は１次帯電器２Ｃ、２Ｍ、２Ｙ、２ＢＫによって各々一様に帯電している感光ドラム１Ｃ、１Ｍ、１Ｙ、１ＢＫ面上に形成されており、現像器４Ｃ、４Ｍ、４Ｙ、４ＢＫによって各々、シアン、マゼンダ、イエロー、ブラックの画像に可視像化され、転写ベルト７上を搬送されてくる転写材Ｐに転写ローラ５Ｃ、５Ｍ、５Ｙ、５ＢＫによって順に静電転写されることによってカラー画像が形成される。この後感光ドラム１Ｃ、１Ｍ、１Ｙ、１ＢＫ面上に残っている残留トナーはクリーナー６Ｃ、６Ｍ、６Ｙ、６ＢＫによって除去されて、次のカラー画像を形成するために再度１次帯電器２Ｃ、２Ｍ、２Ｙ、２ＢＫによって一様に帯電される。
【００２１】
上記転写材Ｐは給紙トレイ２１上に積載されており、給紙ローラ２２によって１枚ずつ順に給紙され、レジストローラ２３によって画像の書き出しタイミングに同期をとって転写ベルト７上に送り出される。転写ベルト７上を精度よく搬送されている間に感光ドラム１Ｃ、１Ｍ、１Ｙ、１ＢＫ面上に形成されたシアンの画像、マゼンダの画像、イエローの画像、ブラックの画像が順に転写材Ｐ上に転写されてカラー画像が形成される。駆動ローラ２４は転写ベルトの送りを精度よく行っており、回転ムラの小さな駆動モータ（図示しない）と接続している。転写材Ｐ上に形成されたカラー画像は定着器２５によって熱定着されたのち、排紙ローラ２６などによって搬送されて装置外に出力される。
【００２２】
図２は、第１の実施例における走査光学装置５１の内部構成を説明した上面図である。
【００２３】
半導体レーザ１０１Ｃ、１０１Ｍから出射されたビームは回転多面鏡３２によってそれぞれ異なる方向に走査される。回転多面鏡３２によって走査されたビームＬＣ、ＬＭはそれぞれ１枚目の走査レンズ１０３Ｃ，１０３Ｍを透過し、折り返しミラー１０４Ｃ、１０４Ｍによって方向を変えられて、2枚目の走査レンズ１０５Ｃ、１０５Ｍを透過し、出射窓１０６Ｃ、１０６Ｍを通過した後、感光ドラム1Ｃ、1Ｍ上に結像する。このような走査光学系を２対並列に並べることで、４つの感光ドラム上に走査光を導いている。
【００２４】
光学箱５２の略中央部には、後述するネジ止め用の穴５４が設けられている。
【００２５】
図３は、図２に示す光学箱５２に光学蓋５３を装着した状態を示す図である。金属製の光学蓋５３は光学箱５２略中央部の穴５４においてネジ５５によって固定される。光学箱５２の材質には、スキャナモータの回転に伴う振動を低減するために、ガラスフィラー入りの樹脂材料が用いられている。光学箱５２の線膨張係数は、光学蓋５３の線膨張係数より大きい。走査光学装置５１および画像形成装置５０が稼動すると、走査光学装置５１の内部および周辺部の温度は上昇し、光学箱５２および光学蓋５３はそれぞれ膨張する。光学箱５２の熱膨張による変形量は、光学蓋の熱膨張５３による変形量より大きい。
【００２６】
図１４、図１５は走査光学装置の内部および周辺の温度が上昇する際の、走査光学装置の変形の様子を示した簡易模式図である。図１４は本実施例における変化を、図１５は光学箱の端部複数箇所において光学蓋を固定する従来方式における変化を表している。図中の（ａ）、（ｂ）は、それぞれ温度上昇の前後の様子を示している。
【００２７】
図１５に示すように、光学箱の端部複数箇所において光学蓋を固定する従来方式の場合、光学箱には固定部を節としてアーチ上の反りが生じる。これは、光学箱と光学蓋の線膨張係数が異なるためで、熱膨張量の小さな光学蓋が固定部において光学箱の熱膨張を抑制することが原因である。
【００２８】
一方、図１４に示すように、第１の実施例によれば、２対の走査光学系で挟まれる領域を光学箱と光学蓋の固定部とすることが可能なので、光路を遮ることなく光学箱略中央部において、光学蓋と光学箱を固定することができる。したがって、走査光学装置の内部および周辺の温度が上昇した場合、図１４（ｂ）のに示すように光学箱５２および光学蓋５３は各々独立して中央から外側へ向けて、ほぼ均一に膨張する。つまり、光学箱５２および光学蓋５３には互いの膨張を抑制する力が働かないので、局所的な応力集中が生じない。したがって光学箱の反りやねじれ等の変形が生じず、走査線の曲がりや傾きが発生しないので、各色毎の感光ドラム表面上におけるビーム照射位置の相対ずれを極力抑制することができる。よって各色間の走査線ずれを極めて小さくすることが可能なので、色ずれの少ない良好な画像を提供することができる。
【００２９】
図１６は、元来反りがある光学蓋を光学箱に固定したときの様子を示す図で、（Ａ）は固定部を光学箱中央部とした本実施例を、（Ｂ）は固定部を光学箱端部の１箇所とした例を表している。図１６の（Ａ）と（Ｂ）から分かるように、本実施例の構成であれば、光学蓋を光学箱端部の１箇所において固定する場合と比較して、反りによる光学蓋と光学箱の隙間が小さくなるので、走査光学装置内への埃の侵入を抑えることができる。よって安価で高寿命の走査光学装置を提供することができる。
【００３０】
（第２の実施例）
図４および図５は第２の実施例における走査光学装置６１の構成を説明した図である。図４は図５の状態から光学蓋をはずしたときの状態を示す図である。
【００３１】
光学蓋６３は樹脂成型品である。光学箱６２はスキャナモータの回転に伴う振動を低減するために、ガラスフィラー入りの樹脂材料が使われている。光学箱６２の線膨張係数は、光学蓋６３の線膨張係数より低い。光学箱６２のヤング率は光学蓋63のヤング率より高い。走査光学装置および画像形成装置は稼動を始めると、走査光学装置の内部および周辺部の温度上昇に伴い、光学箱および光学蓋はそれぞれ膨張する。光学箱６２の熱膨張による変形量は、光学蓋６３の熱膨張による変形量より小さい。
【００３２】
光学蓋６３は光学箱６２の略中央部においてネジ６６によって固定される。また、光学蓋６３の外周部の各面中央部にはスナップフィット６４が、光学箱６２の各側面中央部には突起６５が備わっており、スナップフィット６４を突起６５に挿入して光学蓋６３と光学箱６２を結合させる。これらの結合により光学箱６２の外周部は閉塞され、走査光学装置の内部は密閉される。
【００３３】
第２の実施例によれば、２対の走査光学系で挟まれる領域を光学箱と光学蓋の固定部とすることが可能なので、第１の実施例と同様の効果を得ることができる。
【００３４】
また、走査光学装置外周部のスナップフィットおよび突起は、Ｘ、Ｙ方向対称に構成されており、互いに向き合ったスナップフィット結合部を結んだ直線上にネジ固定部があるので、光学蓋の取付けに伴う光学箱のねじれや局所的な変形が生じにくい。したがって各色間の走査線ずれを極めて小さくすることが可能なので、色ずれの少ない良好な画像を提供することができる。
【００３５】
また、画像形成装置の稼動に伴って走査光学装置の内部および周辺の温度が上昇した場合、光学箱と光学蓋には熱変形が生じるが、走査光学装置の外周部に設けられたスナップフィット結合部はスナップフィットの弾性変形によって応力が解放されるので、実施例１と同様に光学箱および光学蓋は各々独立して中央から外側へ向けて、ほぼ均一に膨張する。したがって光学箱および光学蓋には互いの膨張を抑制する力が働かないので、局所的な応力集中が生じない。したがって光学箱の反りやねじれ等の変形が生じないので、各色毎の感光ドラム表面上におけるビーム照射位置の相対ずれを極力抑制することができ、各色間の走査線ずれを極めて小さくすることが可能となり、色ずれの少ない良好な画像を提供することができる。
【００３６】
また、光学箱の外周部をスナップフィット結合によって密閉できるので、光学箱に内包された光学素子の汚れを防止することができる。したがって画像ムラの小さな画像の出力が可能となる。
【００３７】
（第３の実施例）
図６は第３の実施例における走査光学装置７１の構成を説明した断面図である。
【００３８】
金属製の光学蓋７３は光学箱７２略中央部のネジ穴７４においてネジ７５によって固定される。ネジ７５の軸方向には射出成形のゲート７６が設けてある。ゲートの周りにはリブ７７がＸ，Ｙ方向対称に設けられており、射出時に樹脂が金型の中を素早く回り込むように配慮されている。
【００３９】
第３の実施例によれば、２系統の走査光学系で挟まれる領域を光学箱と光学蓋の固定部とすることが可能なので、第１の実施例と同様の効果を得ることができる。
【００４０】
また、光学箱中央部のネジ穴付近にはゲートおよびゲート周辺のリブが設けてあり、強固となっているので、光学蓋と光学箱の締結力による光学箱の変形が生じにくい。したがって走査線の曲りや傾きが小さく色ずれの少ない良好な画像を提供することができる。
【００４１】
（第４の実施例）
図７、図８および図９は第４の実施例における走査光学装置８１の構成を説明した図である。図７は光学箱８２に光学蓋８３を装着した状態、図８は光学蓋をとりはずした状態、図９は走査光学装置８１を画像形成装置の筐体の一部であるステイに固定した状態を示す図７の主断面図である。
【００４２】
実施例２と同様に、樹脂成型品の光学蓋８３と光学箱８２には、外周部の各面中央部にスナップフィット８４、突起１２０が設けられており、スナップフィット８４と突起１２０の結合により光学蓋８３は光学箱８２に固定される。
【００４３】
図８に示したＸ−Ｙ平面の位置決め手段として、光学箱８２の底面には突起部９０が設けられており、走査光学装置８１はステイ８９に精度良く組みつけられる。
【００４４】
光学箱８２の略中央部にはネジ８５を通すための穴８８が設けられており、光学箱８２の底面と画像形成装置のステイ８９はネジ固定される。このときネジ８５は光学蓋８３の中央部に設けられた円筒部８６を通して組みつけられる。また、穴８８の周囲には、切り欠き８７がある。
【００４５】
光学箱８２の4つの角部裏面に形成された座面９４とステイ８９の固定によって、ステイ８９に対する走査光学装置８１のＺ方向の位置が決められる。角部の固定手段には弾性部材９２が用いられ、弾性部材９２はネジ９３によってステイ８９に固定される。
【００４６】
図１７、図１８は走査光学装置の内部および周辺の温度が上昇する際の、走査光学装置の変形の様子を示した簡易模式図である。図１７は本実施例における変化を、図１８は光学箱とステイの固定手段にネジを用いた方式における変化を表している。図中の（ａ）、（ｂ）は、それぞれ温度上昇の前後の様子を示している。
【００４７】
図１８に示すように、光学箱の角部とステイをネジで固定する場合、光学箱には各角部を節としてアーチ状の反りが生じる。これは、光学箱とステイの線膨張係数が異なるためで、熱膨張量の小さなステイが固定部において光学箱の熱膨張を抑制することが原因である。
【００４８】
一方、図１７に示すように、第４の実施例によれば、２対の走査光学系で挟まれる領域を光学箱とステイの固定部とすることが可能なので、光路を遮ることなく光学箱略中央部において、光学蓋とステイを固定することができ、光学箱８２の４つの角部は、弾性部材９２によってＺ軸マイナス方向に押圧されているので、走査光学装置８１の内部および周辺の温度上昇に伴い、光学箱８２が熱膨張したときでも、固定部に応力が集中することはない。さらに、光学箱中央のネジ固定部周辺には切り欠きが設けてあるので、ネジ８５の締結時には光学箱はＺ方向に弾性変形する。よって、４つの座面９４にて形成された平面を保持することが可能である。
【００４９】
したがって、光学箱の中央固定部と４つの角部を節として光学箱がアーチ状に反ることがないので、走査線の曲りや傾きが生じない。また各色毎の感光ドラム表面上におけるビーム照射位置の相対ずれを抑えることができる。よって極めて良好な画像を提供することができる。
【００５０】
（第５の実施例）
図１０、図１１は第５の実施例における走査光学装置１０１の構成を説明した図である。図１０は光学箱１０２に光学蓋１０３を装着した状態、図１１は走査光学装置を画像形成装置の筐体の一部であるステイに固定した状態を示す図１０の主断面図である。
【００５１】
金属製の光学蓋１０３の中央部に形成された絞り部１０６は、光学箱１０２の底面と共に、金属製のステイ１０３にネジ１０５により固定される。絞り部１０６の先端には切り欠き１０８が、光学箱のネジ止め部周辺には切り欠き１０７が設けられており、ネジ１０５を締めるとき、絞り部先端および光学箱中央のネジ固定部は図１１のように弾性変形する。
【００５２】
光学箱１０２は図示しないＸ−Ｙ平面の位置決め手段によりステイ１０９に組みつけられる。光学箱１０２の4つの角部裏面に形成された座面１１４とステイ１０９の固定によって、ステイ１０９に対する走査光学装置のＺ方向の位置が決められる。固定手段には弾性部材１１２が用いられ、弾性部材１１２はネジ１１３によってステイ１０９に固定される。
【００５３】
第５の実施例によれば、２対の走査光学系で挟まれる領域を光学箱と光学蓋の固定部とすることが可能なので、第１の実施例と同様の効果を得ることができる。
【００５４】
また、２対の走査光学系で挟まれる領域を光学箱とステイの固定部とすることが可能なので、第４の実施例と同様の効果を得ることができる。また、走査光学装置中央部のネジ固定部では、光学箱および光学蓋は弾性変形しているので第４の実施例と同様の効果を得ることができる。
【００５５】
加えて、光学箱をステイに取付けるためのネジ１０５が、光学蓋とステイの接地手段を兼ねるので、特別な別部材を付加することなく、安価で容易な放射ノイズ防止対策が可能となる。
【００５６】
加えて、光学箱をステイに取付けるためのネジ１０５は、光学箱と光学蓋の締結手段を兼ねるので、コストダウンとなる。
【００５７】
加えて、Ｘ軸が鉛直方向と一致する画像形成装置の場合、画像形成装置に走査光学装置を組み付けるとき、絞り部の円筒部内面がネジの落下を妨げる効果がある。
【００５８】
（第６の実施例）
図１９は第６の実施例における走査光学装置１２１の内部構成を説明した概略断面図である。図示しない半導体レーザから出射されたビームは回転多面鏡１２６によって偏向走査される。回転多面鏡１２６によって走査されたビーム１２７は１枚目の走査レンズ１２８を透過し、折り返しミラー１２８によって方向を変えられて、2枚目の走査レンズ１２９を透過し、出射窓１３０を通過した後、図示しない感光ドラムに結像する。このような走査光学系を４対並列に並べることで、４つの感光ドラム上に走査光を導いている。
【００５９】
金属製の光学蓋１２３は光学箱１２２略中央部においてネジ１２５によって固定される。光学箱１２２の材質には、スキャナモータ１３１の回転に伴う振動を低減するために、ガラスフィラー入りの樹脂材料が用いられている。光学箱１２２の線膨張係数は、光学蓋１２３の線膨張係数より大きい。
【００６０】
第６の実施例によれば、２対の走査光学系で挟まれる領域を光学箱と光学蓋の固定部とすることが可能なので、光路を遮ることなく光学箱略中央部において、光学蓋と光学箱を固定することができる。したがって第１の実施例と同様の効果を得ることができる。
【００６１】
（第７の実施例）
図２０は第7の実施例における走査光学装置１４１の構成を説明した上面図である。
【００６２】
半導体レーザ１４５Ｃ、１４５Ｍから出射されたビーム１４７Ｃ、１４７Ｍは回転多面鏡１４６によってそれぞれ異なる方向に走査される。回転多面鏡１４６によって走査されたビーム１４７Ｃ、１４７Ｍはそれぞれ１枚目の走査レンズ１４８Ｃ，１４８Ｍを透過し、折り返しミラー１４９Ｃ、１４９ＭによってＺ軸マイナス方向（紙面垂直下向き）に方向を変えられて、図示しない2枚目の走査レンズを透過し、図示しない感光ドラムに結像する。走査光学装置１４１を２対並列に並べることで、４つの感光ドラム上に走査光を導いている。
【００６３】
光学箱１４２は略中央部において２本のネジ１４４によってステイ１５０に固定される。ネジ１４４はビーム１４７Ｃ、１４７Ｍを遮らない箇所に配置され、２本のネジ間距離は光学箱の大きさに比べて非常に小さい。
【００６４】
第７の実施例によれば、２系統の光学部材郡に挟まれた光学箱略中央部に於いて、光学箱とステイを固定することができる。したがって、走査光学装置の稼動により、走査光学装置の内部および周囲の温度が上昇した場合、光学箱およびステイは各々独立して中央から外側へ向けて、ほぼ均一に膨張する。つまり、光学箱およびステイには互いの膨張を抑制する力が働かないので、局所的な応力集中が生じない。したがって光学箱の反りやねじれ等の変形が生じず、走査線の曲がりや傾きが発生しないので、各色毎の感光ドラム表面上におけるビーム照射位置の相対ずれを極力抑制することができる。よって各色間の走査線ずれを極めて小さくすることが可能なので、色ずれの少ない良好な画像を提供することができる。
【００６５】
なお本発明は上述の第１〜７の実施例に限定されず、各色の配列や走査光学手段の個数が異なる場合であっても同様の効果が得られることはいうまでもない。当然のことながら走査光学装置、ステイ、弾性部材、加えて各部品の位置決め手段および取付け手段はいかなる形状・手段であってもよい。
【図面の簡単な説明】
【００６６】
【図１】本発明の走査光学装置および画像形成装置の第１実施例を示す概略断面図である。
【図２】本発明の走査光学装置の第１実施例を示す要部概略上面図である。
【図３】本発明の走査光学装置の第１実施例を示す概略上面図である。
【図４】本発明の走査光学装置の第２実施例を示す要部概略上面図である。
【図５】本発明の走査光学装置の第２実施例を示す概略上面図である。
【図６】本発明の走査光学装置の第３実施例を示す概略断面図である。
【図７】本発明の走査光学装置の第４実施例を示す概略上面図である。
【図８】本発明の走査光学装置の第4実施例を示す要部概略上面図である。
【図９】本発明の走査光学装置の第4実施例を示す概略断面図である。
【図１０】本発明の走査光学装置の第5実施例を示す概略上面図である。
【図１１】本発明の走査光学装置の第5実施例を示す要部概略上面図である。
【図１２】従来の走査光学装置を示す斜視図と要部概略断面図である。
【図１３】従来のカラー電子写真装置を示す正面図である。
【図１４】本発明の走査光学装置の第１実施例を説明する簡易模式図である。
【図１５】従来の走査光学装置を説明する簡易模式図である。
【図１６】本発明の走査光学装置の第１実施例を説明する簡易模式図である。
【図１７】本発明の走査光学装置の第４実施例を説明する簡易模式図である。
【図１８】従来の走査光学装置を説明する簡易模式図である。
【図１９】本発明の走査光学装置の第６実施例を示す概略断面図である。
【図２０】本発明の走査光学装置の第７実施例を示す概略上面図である。
【符号の説明】
【００６７】
１Ｃ，１Ｍ，１Ｙ，１ＢＫ  感光ドラム
１２４  走査光学手段
５１，６１，７１，８１，１０１，１２１，１４１  走査光学装置
８９，１０３，１５０  ステイ
５２，６２，７２，８２，１０２，１２２，１４２  光学箱
５３，６３，７３，８３，１０３，１２３  光学蓋
９２，１１２  弾性部材
３２，１２６  回転多面鏡
７６  ゲート
【図１】
2005156781.tif 000003
【図２】
2005156781.tif 000004
【図３】
2005156781.tif 000005
【図４】
2005156781.tif 000006
【図５】
2005156781.tif 000007
【図６】
2005156781.tif 000008
【図７】
2005156781.tif 000009
【図８】
2005156781.tif 000010
【図９】
2005156781.tif 000011
【図１０】
2005156781.tif 000012
【図１１】
2005156781.tif 000013
【図１２】
2005156781.tif 000014
【図１３】
2005156781.tif 000015
【図１４】
2005156781.tif 000016
【図１５】
2005156781.tif 000017
【図１６】
2005156781.tif 000018
【図１７】
2005156781.tif 000019
【図１８】
2005156781.tif 000020
【図１９】
2005156781.tif 000021
【図２０】
2005156781.tif 000022